(57)【特許請求の範囲】
【請求項１】
多機能電気てい鍼治療器であって、頂カバー、複数の位置決め片、固定蓋、後カバー、複数の電気てい鍼及び調節機構を有し、
前記複数の位置決め片は、前記頂カバーと前記後カバー上にそれぞれ取り付けられ、前記各位置決め片上には、長溝が設置され、
前記固定蓋は、前記頂カバーと前記後カバー上にそれぞれ固定され、前記位置決め片を、前記頂カバーと前記固定蓋の間、前記後カバーと前記固定蓋の間に挟持し、
前記後カバーは、前記頂カバーの後方に設置し、調節機構を介して、前記頂カバーと連結し、
前記電気てい鍼は、位置決め片の長溝内に取り付け、前記長溝に沿って移動する
ことを特徴とする、
多機能電気てい鍼治療器。
【請求項２】
前記電気てい鍼は、電極片、中空ボルト、ナット、シリコンプラグ、針棒及びキャップを有し、
前記電極片は、前記中空ボルトの底部に固定され、前記針棒と接触し、
前記中空ボルトとナットとは、相互に螺接し、
前記シリコンプラグは弾性を備え、前記シリコンプラグは、中空ボルト内に収容され、前記針棒を弾性的に挟持し、
前記針棒は、前記ナット、シリコンプラグ、中空ボルトと電極片を通過し、前記キャップは、針棒の頂部に設置される
ことを特徴とする、
請求項１に記載の多機能電気てい鍼治療器。
【請求項３】
前記中空ボルトとナットの間に、前記位置決め片を挟持し、
前記針棒は、前記長溝を通過する
ことを特徴とする、
請求項２に記載の多機能電気てい鍼治療器。
【請求項４】
前記位置決め片の底部には、線通過溝を設置し、
前記後カバーの片側には、バススロットを設置する
ことを特徴とする、
請求項３に記載の多機能電気てい鍼治療器。
【請求項５】
前記電極片は、ベース、線接続板及び複数の弾性アームを有し、
前記ベースは、中空ボルト底部に取り付けられ、
前記線接続板は、ベース片側に位置し、延伸して線通過溝に入り、
前記弾性アームは、ベースの下方に連結し、前記針棒上に弾性接触する
ことを特徴とする、
請求項４に記載の多機能電気てい鍼治療器。
【請求項６】
前記調節機構は、ラックギア、後カバー取り付け板、ダイヤル台、ダイヤル及びギアを有し、
前記ラックギアは、頂カバー上に固定され、
前記後カバー取り付け板と後カバーとは、相互に固定して接続され、
前記ダイヤル台と後カバー取り付け板とは、相互に対応し、
前記ダイヤルは、ダイヤル台上に枢接され、
前記ギアは、ダイヤル上に連結され、前記ダイヤルに従って動き、
前記ギアとラックギアとは、相互に噛み合う
ことを特徴とする、
請求項１に記載の多機能電気てい鍼治療器。
【請求項７】
前記ダイヤル台とダイヤルの間には、ワッシャーが設置される
ことを特徴とする、
請求項６に記載の多機能電気てい鍼治療器。
【請求項８】
前記調節機構は、頂カバーの、後カバーに近い両側に設置される
ことを特徴とする、
請求項７に記載の多機能電気てい鍼治療器。
【請求項９】
前記各位置決め片上には、少なくとも２個の電気てい鍼が設置される
ことを特徴とする、
請求項１に記載の多機能電気てい鍼治療器。
【発明の詳細な説明】
【技術分野】
【０００１】
本発明は針灸用具に関し、特に医療器械技術領域に属する多機能電気てい鍼治療器に関する。
【背景技術】
【０００２】
てい鍼療法は、てい鍼を用いて経絡ツボ表面を押し、疾病を治療す方法である。
てい鍼は、古代九針の一つで、長さは約３〜４インチである。  
現在では多くが太い鋼線（または硬木或いは骨質材料など）で作られており、針頭はキビのようにゆるやかな円形で、皮膚に刺さることはなく、ツボ表面を押すために用いられる。
その原埋は、皮膚と体内経絡の連係を通して、気血の流れを良くする作用を生じさせるというものである。
臨床においては、疼痛性の虚証（生命活動の動力が不足し抵抗力が低下して生理機能が減退している状態）、及び胃痛、腹痛、消化不良、神経性嘔吐、妊娠嘔吐、神経官能症等気分証（病邪が入裏化熱した段階で、発熱・不悪寒・舌苔が黄が特徴）の治療に用いられる。
押す時には、針頭を経絡ツボ表面に押し当て、経気感応度を得て、指の甲で針を上下に動かし、感覚を強める。
虚証用補法（刺激を与えて正常に戻す方法）では、針を経絡ツボ上に軽く押し当て、局部の皮膚にほんのり赤みがさし、症状がとらいだら針を離し、離した後は局部を軽くマッサージする。
実証用瀉法（過剰物質を排除する方法）では、針を経絡ツボ上に強く押し当て、病人に酸脹得気感（だるい腫ぼったい感じ）が出現し上下へと拡散したら針を離す。
近年では、古代てい鍼と現代科学技術を結合した電気てい鍼、音声電気てい鍼が開発されており、循経感伝を刺激し、良好な効果が得られている。
【０００３】
しかし、従来の針灸療法は普通は、専門の針灸師により実施する必要がある。
針灸師は先ずツボを探すが、この過程は専門性が極めて高く、一般の人が自分で行うことは難しいため、一定の制限がある。
そのため、病人は針灸を受けるためにわざわざ鍼灸院を訪ねなければならず、しかも針灸師が毎日施術できる病人の数には限りがあり、効率が低い。
【発明の概要】
【発明が解決しようとする課題】
【０００４】
前記先行技術には、専門の針灸師により実施する必要があるが、ツボを探すのは専門性が極めて高く、一般人が自分で行うことは難しく、病人は針灸を受けるためにわざわざ鍼灸院を訪ねなければならず、しかも針灸師が毎日施術できる病人の数には限りがあり、効率が低いという欠点がある。
【課題を解決するための手段】
【０００５】
本発明は構造が簡単で、調節が便利で、病人が自分で操作できる多機能電気てい鍼治療器に関する。
【０００６】
本発明による多機能電気てい鍼治療器は、頂カバー、複数の位置決め片、固定蓋、後カバー、複数の電気てい鍼及び調節機構を有する。
該複数の位置決め片は、該頂カバーと該後カバー上にそれぞれ取り付けられ、該各位置決め片上には、長溝を設置する。
該固定蓋は、該頂カバーと該後カバー上にそれぞれ固定され、該位置決め片を、該頂カバーと該固定蓋の間、該後カバーと該固定蓋の間に挟持する。
該後カバーは、頂カバーの後方に設置し、調節機構を介して、頂カバーと連結する。
該電気てい鍼は、位置決め片の長溝内に取り付け、該長溝に沿って移動する。
【０００７】
本発明の多機能電気てい鍼治療器はさらに、電気てい鍼は、電極片、中空ボルト、ナット、シリコンプラグ、針棒及びキャップを有する。
該電極片は、中空ボルトの底部に固定され、針棒と接触する。
該中空ボルトとナットとは、相互に螺接する。
該シリコンプラグは弾性を備え、該シリコンプラグは、中空ボルト内に収容され、該針棒を弾性的に挟持する。
該針棒は、該ナット、シリコンプラグ、中空ボルトと電極片を通過する。
該キャップは、針棒の頂部に設置される。
【０００８】
本発明の多機能電気てい鍼治療器はさらに、該中空ボルトとナットの間に、該位置決め片を挟持し、該針棒は、該長溝を通過する。
【０００９】
本発明の多機能電気てい鍼治療器はさらに、該位置決め片の底部には、線通過溝を設置し、該後カバーの片側には、バススロットを設置する。
【００１０】
本発明の多機能電気てい鍼治療器はさらに、該電極片は、ベース、線接続板及び複数の弾性アームを有する。
該ベースは、中空ボルト底部に取り付けられる。
該線接続板は、ベース片側に位置し、延伸して線通過溝に入る。
該弾性アームは、ベースの下方に連結し、該針棒上に弾性接触する。
【００１１】
本発明の多機能電気てい鍼治療器はさらに、該調節機構は、ラックギア、後カバー取り付け板、ダイヤル台、ダイヤル及びギアを有する。
該ラックギアは、頂カバー上に固定される。
該後カバー取り付け板と後カバーとは、相互に固定して接続される。
該ダイヤル台と後カバー取り付け板とは、相互に対応する。
該ダイヤルは、ダイヤル台上に枢接される。
該ギアは、ダイヤル上に連結され、ダイヤルに従って動く。
該ギアとラックギアとは、相互に噛み合う。
【００１２】
本発明の多機能電気てい鍼治療器はさらに、該ダイヤル台とダイヤルの間に、ワッシャーを設置する。
【００１３】
本発明の多機能電気てい鍼治療器はさらに、該調節機構が、頂カバーの、後カバーに近い両側に設置される。
【００１４】
本発明の多機能電気てい鍼治療器はさらに、該各位置決め片上には、少なくとも２個の電気てい鍼を設置する。
【００１５】
既存の技術と比較すると、本発明は以下の効果を備える。
１．本発明の多機能電気てい鍼治療器は、構造が簡単で、電気てい鍼は人体頭部ツボに応じて調整できるため、専門の人員が調整した後は、病人は自宅で自分で針灸を行い、非常に便利である。
２．本発明の多機能電気てい鍼治療器の頂カバーと後カバーとの間隔処理は調整可能であるため、様々な人のニーズに応えることができる。
３．本発明の多機能電気てい鍼治療器内の配線は、線通過溝内に配置されるため、配線が簡潔で、製品の外観が美しい。
【図面の簡単な説明】
【００１６】
【図１】本発明の多機能電気てい鍼治療器の立体図である。
【図２】本発明の多機能電気てい鍼治療器の立体分解図である。
【図３】図１中の電気てい鍼の立体分解図である。
【図４】図１中の電気てい鍼の断面図である。
【図５】図１中の調節機構の立体分解図である。
【図６】図２中のＩ位置における拡大図である。
【図７】図３中の電極片の拡大図である。
【発明を実施するための形態】
【００１７】
（一実施形態）
図１〜図７に示す通り、本発明による多機能電気てい鍼治療器は、頂カバー１、複数の位置決め片２、固定蓋３、後カバー４、複数の電気てい鍼５及び調節機構６等を組み合わせて構成される。
【００１８】
複数の位置決め片２は、頂カバー１と後カバー４上にそれぞれ取り付けられ、各位置決め片２上には長溝７を設置する。
位置決め片２の底部には、線通過溝８をさらに設置する。
【００１９】
固定蓋３は、頂カバー１と後カバー４上をそれぞれ固定して支え、位置決め片２を、それぞれ頂カバー１と固定蓋３の間、後カバー４と固定蓋３の間に挟んで支える。
【００２０】
後カバー４は、頂カバー１の後方に設置し、調節機構６を介して、頂カバー１と連結する。
調節機構６は、頂カバー１の、後カバー４に近い両側に設置される。
後カバー４の片側には、バススロット９を設置し、導線をまとめて通電する。
【００２１】
電気てい鍼５は、位置決め片２の長溝７内に取り付け、長溝７に沿って移動し、こうして人体頭部ツボに応じて調整できる。
各位置決め片２上には、少なくとも２個の電気てい鍼５を設置する。
電気てい鍼５上には、導線を連結（図示なし）し、これにより電気てい鍼５は通電し、パルス信号を発信し、ツボを刺激するが、その作動原理は既存の技術であるため、詳述しない。
【００２２】
さらに、電気てい鍼５は、針棒５１、電極片５２、中空ボルト５３、ナット５４、シリコンプラグ５５及びキャップ５６等を組み合わせて構成する。
【００２３】
電極片５２は、中空ボルト５３の底部に固定され、針棒５１と接触する。
【００２４】
具体的には、電極片５２は、ベース５２１、線接続板５２２及び複数の弾性アーム５２３を有する。
【００２５】
ベース５２１は、中空ボルト５３底部に取り付けられる。
線接続板５２２は、ベース５２１片側に位置し、延伸して線通過溝８に入り、導線は線通過溝８内で線接続板５２２と連結する。
こうして、治療器全体の配線は外に露出せず、整った外観を呈することができる。
弾性アーム５２３は、ベース５２１の下方に連結し、針棒５１上に弾性接触し、こうして針棒５１にパルス電が通電する。
【００２６】
シリコンプラグ５５は弾性を備え、シリコンプラグ５５は、中空ボルト５３内に収容され、針棒５１を弾性的に挟持する。
【００２７】
針棒５１は、ナット５４、シリコンプラグ５５、中空ボルト５３と電極片５２をまっすぐ通過し、さらに長溝７を通過し、底部は人体皮膚上に接触する。
キャップ５６は、針棒５１の頂部に設置される。
針棒５１の通過長さを調節する必要がある時には、針棒５１を上向きに引っ張る、或いは下向きに押すだけで良い。
長さの調整が完了したら、シリコンプラグ５５の弾性収縮力を通して、針棒５１を位置決めできる。
【００２８】
さらに、中空ボルト５３とナット５４とは、相互に螺接し、両者の間には、位置決め片２を挟持する。
電気てい鍼５の、長溝７内における位置を調節する必要がある時には、ナット５４を緩めるだけで、電気てい鍼５は長溝７内で移動でき、針棒５１をツボに合わせた後、ナット５４を締めれば、電気てい鍼５の位置決めを実現できる。
【００２９】
調節機構６は、ラックギア６１、後カバー取り付け板６２、ダイヤル台６３、ダイヤル６４及びギア６５を有する。
ラックギア６１は、頂カバー１上に固定される。
後カバー取り付け板６２と後カバー４とは、相互に固定して接続される。
ダイヤル台６３と後カバー取り付け板６２とは、相互に対応する。
ダイヤル６４は、ダイヤル台６３上に枢接される。
ギア６５は、ダイヤル６４上に連結され、ダイヤル６４に従って動く。
ギア６５とラックギア６４とは、相互に噛み合う。
ダイヤル台６３とダイヤル６４の間には、ワッシャー６６を設置する。
【００３０】
調節機構６の作動過程は、以下の通りである。
頂カバー１と後カバー４の間の位置を調節する必要がある時には、ダイヤル６４を回せば、ダイヤル６４はギア６５を連動し、ギア６５はラックギア６１に沿って移動する。
こうして、後カバー４を連動し、頂カバー１に対して動かせる。
【００３１】
本発明の多機能電気てい鍼治療器の使用方法は、以下の通りである。
治療器を病人頭部に装着し、調節機構６を介して、頂カバー１と後カバー４の間の相対位置を調節する。
電気てい鍼５のナット５４を緩め、電気てい鍼５と人体ツボを対応させた後、再びナット５４を締める。
キャップ５６を介して針棒５１を回し、これにより針棒５１はツボを押す。
全部の電気てい鍼５の位置が調整された後、パルス電を通電し、針灸を実現する。
本発明の多機能電気てい鍼治療器の電気てい鍼５は、人体頭部ツボに応じて調整できるため、専門の人員が調整した後には、病人は自宅で自分で針灸が行え、非常に便利である。
【００３２】
前述した本発明の実施形態は本発明を限定するものではなく、よって、本発明により保護される範囲は後述される特許請求の範囲を基準とする。
【符号の説明】
【００３３】
１  頂カバー、
２  位置決め片、
３  固定蓋、
４  後カバー、
５  電気てい鍼、
５１  針棒、
５２  電極片、
５２１  ベース、
５２２  線接続板、
５２３  弾性アーム、
５３  中空ボルト、
５４  ナット、
５５  シリコンプラグ、
５６  キャップ、
６  調節機構、
６１  ラックギア、
６２  後カバー取り付け板、
６３  ダイヤル台、
６４  ダイヤル、
６５  ギア、
６６  ワッシャー、
７  長溝、
８  線通過溝、
９  バススロット。
【図１】
0006377864.tif 000002
【図２】
0006377864.tif 000003
【図３】
0006377864.tif 000004
【図４】
0006377864.tif 000005
【図５】
0006377864.tif 000006
【図６】
0006377864.tif 000007
【図７】
0006377864.tif 000008